(57)【要約】【課題】子供又はペットの注意を自動的に惹きつけることにより、子供等が部屋を出て歩き回ったり、突然泣き出したりすることを防止し、事故の発生を防止し、親等が子供等の傍を離れて安心して自分の作業を行うことができる電気機器システムを提供する。【解決手段】制御部１０は、状況解析部５によりマイクロフォン２，人感センサ３，カメラ４から音声，検知信号，画像の情報を取り込み、人又は動物がＴＶ受像機１の傍に存在するか否かを判定し、人等がいると判定した場合、自動対応モードに設定する。そして、人等が傍から離れたと判定した場合、映像コンテンツ選択部６により映像を選択して、映像・音声出力部７により映像及び音声を出力する。そして、人等が傍に戻って効果があったか否かを判定し、効果がなかったと判定した場合、異なる映像コンテンツを選択して、映像・音声出力部７により映像及び音声を出力する。【選択図】図２
2011223169.tif 000002
【特許請求の範囲】
【請求項１】
マイクロフォンにより入力された音声に基づき外部状況を解析し、解析した結果に基づき音及び／又は映像の内容を決定して出力する制御手段を有する電気機器を備える電気機器システムにおいて、
所定の範囲内の人又は動物の存在を示す存在情報を出力する存在情報出力手段と、
該存在情報出力手段から前記存在情報が入力される存在情報入力手段と
を備え、
前記制御手段は、前記存在情報入力手段により前記存在情報が入力された場合に、前記内容を決定することを特徴とする電気機器システム。
【請求項２】
前記存在情報出力手段は、熱エネルギーを検知し、電気信号値に変換して出力する温度センサであり、
前記存在情報入力手段は、前記存在情報出力手段から入力される電気信号値の経時的な変化によって、人又は動物の前記所定の範囲内への進入、存在継続、及び退出を示す情報が入力されることを特徴とする請求項１に記載の電気機器システム。
【請求項３】
前記制御手段は、前記存在情報入力手段により前記進入を示す情報が入力された後、前記退出を示す情報が入力された場合、又は人の泣き声若しくは動物の鳴き声が前記マイクロフォンにより入力された場合に前記内容を決定することを特徴とする請求項２に記載の電気機器システム。
【請求項４】
前記制御手段は、前記存在情報入力手段により前記進入を示す情報が入力された後、前記退出を示す情報が入力された場合、又は人の泣き声若しくは動物の鳴き声が前記マイクロフォンにより入力された場合に音及び／又は映像の出力を中止することを特徴とする請求項２に記載の電気機器システム。
【請求項５】
人又は動物の体温、声、及び好みの複数の音及び／又は映像の内容を含む情報を記憶する情報記憶手段と、
前記マイクロフォンから音声が入力され、かつ前記存在情報入力手段により前記進入を示す情報が入力された場合に、該音声又は情報が前記情報記憶手段により記憶された体温、及び声の情報と一致するか否かを判定する情報判定手段と
を備え、
前記制御手段は、前記情報判定手段により一致すると判定された場合に、前記情報記憶手段により記憶された音及び／又は映像の内容を選択して出力することを特徴とする請求項２から４までのいずれか１項に記載の電気機器システム。
【請求項６】
前記存在情報出力手段として、人又は動物の画像を撮像する撮像手段を含み、
前記情報記憶手段は、人又は動物の顔を含む領域を前記撮像手段により撮像して得られた顔画像から生成した認証に用いる顔認証情報を記憶し、
前記情報判定手段は、前記存在情報入力手段により前記撮像手段から人又は動物の画像の情報が入力された場合に、該画像の情報が、前記情報記憶手段により記憶された顔認証情報と一致するか否かを判定することを特徴とする請求項５に記載の電気機器システム。
【請求項７】
前記情報判定手段により一致しないと判定された場合に、警告を示す内容の音及び／又は映像を出力することを特徴とする請求項６に記載の電気機器システム。
【請求項８】
前記制御手段により音及び／又は映像を出力しているときに、前記存在情報入力手段により前記退出の情報が入力されたか否かを判定する存在判定手段を備え、
前記制御手段は、前記存在判定手段により前記退出の情報が入力されたと判定した場合に、前回の内容とは異なる内容の音及び／又は映像を出力することを特徴とする請求項２から７までのいずれか１項に記載の電気機器システム。
【請求項９】
前記制御手段により音及び／又は映像を出力しているときに、前記存在情報入力手段により前記退出の情報が入力されたか否かを判定する存在判定手段を備え、
前記存在判定手段により前記退出の情報が入力されなかったと判定した場合に、出力した音及び／又は映像により前記存在継続が得られたという評価を前記情報記憶手段に記憶する手段を備え、
前記制御手段は、前記情報記憶手段により記憶された評価に基づいて、音及び／又は映像の内容を決定することを特徴とする請求項２から７までのいずれか１項に記載の電気機器システム。
【請求項１０】
映像を表示する映像表示手段と、
放送信号を映像出力信号に変換し、番組映像を出力する番組映像出力手段と、
前記放送信号に含まれる番組情報を抽出して記憶する番組情報記憶手段と
を備え、
前記制御手段は、前記番組情報記憶手段に記憶された番組情報に基づいて前記映像表示手段に表示する番組映像を決定することを特徴とする請求項１から９までのいずれか１項に記載の電気機器システム。
【請求項１１】
映像を記憶する映像記憶手段を備え、
前記制御手段は、前記番組映像出力手段により出力される番組映像、及び前記映像記憶手段に記憶された映像の中から映像を選択し、選択した映像を前記映像表示手段に表示させることを特徴とする請求項１０に記載の電気機器システム。
【請求項１２】
映像を出力する他の電気機器を備え、
前記制御手段は、前記番組映像出力手段により出力される番組映像、前記映像記憶手段に記憶された映像、及び前記他の電気機器から入力される映像の中から映像を選択し、選択された映像を前記映像表示手段に表示させることを特徴とする請求項１１に記載の電気機器システム。
【請求項１３】
マイクロフォンにより入力された音声に基づき外部状況を解析し、解析した結果に基づき人又は動物をあやす手段を作動させる制御手段を有する電気機器を備える電気機器システムにおいて、
所定の範囲内の人又は動物の存在を示す存在情報を出力する存在情報出力手段と、
該存在情報出力手段から前記存在情報が入力される存在情報入力手段と
を備え、
前記制御手段は、前記存在情報入力手段により前記存在情報が入力された場合に、前記あやす手段を作動させることを特徴とする電気機器システム。
【発明の詳細な説明】
【技術分野】
【０００１】
本発明は、子供及びペットの興味を惹いて所定の範囲内に引き留まらせることができる電気機器システムに関する。
【背景技術】
【０００２】
育児中の親が子どもの世話をしている最中に、家事及び来客等の用事ができて一時的に子どもの傍を離れる状況は頻繁に生じる。このような状況においては、子どもが意図せず歩き回って事故に遭ったり、突然泣き出して親が傍に戻る必要が生じたり等して、問題が発生しやすい。また、実際にこれらの問題が発生していなくてもいつ発生するかも知れず、親にとって心配である。
従って、親が食事の支度，掃除，洗濯等の家事をしている場合、食事，入浴，来客等で手が離せない場合等、幼児，子供の監視が行き届かないときに子どもをあやしてくれる電気機器システムの実現が求められている。
【０００３】
特許文献１には、マイクロフォンから入力された音響信号を分析して乳幼児の泣き声が検出された場合に、映像記憶手段に保存された複数の映像コンテンツの中から出力する映像コンテンツを選択して映像表示手段に表示した後、乳幼児が泣き止んだかどうかを判定して、表示している映像コンテンツが乳幼児に適しているかどうかを判定し、適していないと判定した場合には、表示する映像コンテンツを切り替える映像表示装置の発明が開示されている。
【先行技術文献】
【特許文献】
【０００４】
【特許文献１】特開２００６−３２４７４２号公報
【発明の概要】
【発明が解決しようとする課題】
【０００５】
特許文献１の映像表示装置の場合、乳幼児を泣き止ませることを目的としており、マイクロフォンで泣き声を検出した場合に映像コンテンツを表示させる処理を行っている。音声のみに基づいて処理を行うので、乳幼児が映像表示装置からどのくらいの位置に存在しているのかは判断することができず、乳幼児が映像表示装置から離れた位置で歩き回っている場合にこれを検知することができず、事故等を回避することができないという問題があった。
【０００６】
本発明は斯かる事情に鑑みてなされたものであり、子供又はペット等の注意を自動的に惹きつけて傍に引き留めることにより、意図せず子供等が部屋を出て歩き回ったり、突然泣き出したりすることを防止して落下事故等の問題の発生を回避することができ、親等が子供等の傍を離れて安心して自分の作業を行うことができる電気機器システムを提供することを目的とする。
【課題を解決するための手段】
【０００７】
本発明に係る電気機器システムは、マイクロフォンにより入力された音声に基づき外部状況を解析し、解析した結果に基づき音及び／又は映像の内容を決定して出力する制御手段を有する電気機器を備える電気機器システムにおいて、所定の範囲内の人又は動物の存在を示す存在情報を出力する存在情報出力手段と、該存在情報出力手段から前記存在情報が入力される存在情報入力手段とを備え、前記制御手段は、前記存在情報入力手段により前記存在情報が入力された場合に、前記内容を決定することを特徴とする。
【０００８】
本発明においては、人又は動物の所定の範囲内への進入、存在継続、退出等を示す存在情報が入力された場合に、自動的に音及び／又は映像の内容を決定して出力するので、子供及びペット等の動物を電気機器システムの所定の範囲内に引き留めて音及び／又は映像の視聴に集中させることができる。従って、意図せず子供等が部屋を出て歩き回ったり、突然泣き出したりすることを防止することができ、落下事故等の問題の発生を回避することができるとともに、親等が子供等の傍を離れて安心して自分の作業を行うことができる。
【０００９】
本発明に係る電気機器システムは、前記存在情報出力手段は、熱エネルギーを検知し、電気信号値に変換して出力する温度センサであり、前記存在情報入力手段は、前記存在情報出力手段から入力される電気信号値の経時的な変化によって、人又は動物の前記所定の範囲内への進入、存在継続、及び退出を示す情報が入力されることを特徴とする。
【００１０】
本発明においては、人又は動物の所定の範囲内への進入、存在継続、及び退出を示す情報が正確に入力されるので、適正に状況を判断して対応を行うことができる。
【００１１】
本発明に係る電気機器システムは、前記制御手段は、前記存在情報入力手段により前記進入を示す情報が入力された後、前記退出を示す情報が入力された場合、又は人の泣き声若しくは動物の鳴き声が前記マイクロフォンにより入力された場合に前記内容を決定することを特徴とする。
【００１２】
本発明においては、人又は動物が所定の範囲内から離れた場合、又は人が泣いたり動物が鳴いたりした場合に、迅速に音及び／又は映像を出力して所定の範囲内に引き戻らせて事故を未然に防止したり、泣き止ませたりすることができる。
【００１３】
本発明に係る電気機器システムは、前記制御手段は、前記存在情報入力手段により前記進入を示す情報が入力された後、前記退出を示す情報が入力された場合、又は人の泣き声若しくは動物の鳴き声が前記マイクロフォンにより入力された場合に音及び／又は映像の出力を中止することを特徴とする。
【００１４】
本発明においては、人又は動物が所定の範囲内から離れた場合、又は人が泣いたり動物が鳴いたりした場合に、音及び／又は映像の出力を中止することにより、離れたり泣いたりすると損をするというルールを覚え込ませ、動き回る癖及び泣き癖を直すことができる。
【００１５】
本発明に係る電気機器システムは、人又は動物の体温、声、及び好みの複数の音及び／又は映像の内容を含む情報を記憶する情報記憶手段と、前記マイクロフォンから音声が入力され、かつ前記存在情報入力手段により前記進入を示す情報が入力された場合に、該音声又は情報が前記情報記憶手段により記憶された体温、及び声の情報と一致するか否かを判定する情報判定手段とを備え、前記制御手段は、前記情報判定手段により一致すると判定された場合に、前記情報記憶手段により記憶された音及び／又は映像の内容を選択して出力することを特徴とする。
【００１６】
本発明においては、情報記憶手段に記憶された好みの複数の音及び／又は映像の内容の中から出力する音及び／又は映像の内容を選択するので、より確実に人又は動物を所定の範囲内に引き留めて音及び／又は映像の視聴に集中させることができる。
【００１７】
本発明に係る電気機器システムは、前記存在情報出力手段として、人又は動物の画像を撮像する撮像手段を含み、前記情報記憶手段は、人又は動物の顔を含む領域を前記撮像手段により撮像して得られた顔画像から生成した認証に用いる顔認証情報を記憶し、前記情報判定手段は、前記存在情報入力手段により前記撮像手段から人又は動物の画像の情報が入力された場合に、該画像の情報が、前記情報記憶手段により記憶された顔認証情報と一致するか否かを判定することを特徴とする。
【００１８】
本発明においては、撮像手段を備えるので、現在、傍にいる人又は動物が情報記憶手段に情報が記憶された人又は動物であるか否かを正確に判断することができ、前記情報に対応させて適切に音及び／又は映像を出力することができる。
【００１９】
本発明に係る電気機器システムは、前記情報判定手段により一致しないと判定された場合に、警告を示す内容の音及び／又は映像を出力することを特徴とする。
【００２０】
本発明においては、情報記憶手段に登録されていない侵入者を撃退することができる。      
【００２１】
本発明に係る電気機器システムは、前記制御手段により音及び／又は映像を出力しているときに、前記存在情報入力手段により前記退出の情報が入力されたか否かを判定する存在判定手段を備え、前記制御手段は、前記存在判定手段により前記退出の情報が入力されたと判定した場合に、前回の内容とは異なる内容の音及び／又は映像を出力することを特徴とする。
【００２２】
本発明においては、現在、出力している音及び／又は映像の内容では効果がないと判定した場合に、異なる内容の音及び／又は映像を出力するので、一度離れた人又は動物を所定の範囲内に引き戻して音及び／又は映像の視聴に集中させることができる。
【００２３】
本発明に係る電気機器システムは、前記制御手段により音及び／又は映像を出力しているときに、前記存在情報入力手段により前記退出の情報が入力されたか否かを判定する存在判定手段を備え、前記存在判定手段により前記退出の情報が入力されなかったと判定した場合に、出力した音及び／又は映像により前記存在継続が得られたという評価を前記情報記憶手段に記憶する手段を備え、前記制御手段は、前記情報記憶手段により記憶された評価に基づいて、音及び／又は映像の内容を決定することを特徴とする。
【００２４】
本発明においては、音及び／又は映像の評価を記憶するので、次回、この評価に基づいて対応することで、効果的に人又は動物の興味を惹いて所定の範囲内に引き留めることができる。
【００２５】
本発明に係る電気機器システムは、映像を表示する映像表示手段と、放送信号を映像出力信号に変換し、番組映像を出力する番組映像出力手段と、前記放送信号に含まれる番組情報を抽出して記憶する番組情報記憶手段とを備え、前記制御手段は、前記番組情報記憶手段に記憶された番組情報に基づいて前記映像表示手段に表示する番組映像を決定することを特徴とする。
【００２６】
本発明においては、番組情報に基づき、現在、視聴が可能であり、人又は動物の興味を惹くことができる番組を選択して映像表示手段に出力することができる。
【００２７】
本発明に係る電気機器システムは、映像を記憶する映像記憶手段を備え、前記制御手段は、前記番組映像出力手段により出力される番組映像、及び前記映像記憶手段に記憶された映像の中から映像を選択し、選択した映像を前記映像表示手段に表示させることを特徴とする。
【００２８】
本発明においては、現在、視聴が可能である番組映像、及び映像記憶手段に記憶された映像の中からより効果的と考えられる映像を選択することができる。
【００２９】
本発明に係る電気機器システムは、映像を出力する他の電気機器を備え、前記制御手段は、前記番組映像出力手段により出力される番組映像、前記映像記憶手段に記憶された映像、及び前記他の電気機器から入力される映像の中から映像を選択し、選択された映像を前記映像表示手段に表示させることを特徴とする。
【００３０】
本発明においては、現在、視聴が可能である番組映像、映像記憶手段に記憶された映像、及び他の電気機器から入力される映像の中からより効果的と考えられる映像を選択することができる。
【００３１】
本発明に係る電気機器システムは、マイクロフォンにより入力された音声に基づき外部状況を解析し、解析した結果に基づき人又は動物をあやす手段を作動させる制御手段を有する電気機器を備える電気機器システムにおいて、所定の範囲内の人又は動物の存在を示す存在情報を出力する存在情報出力手段と、該存在情報出力手段から前記存在情報が入力される存在情報入力手段とを備え、前記制御手段は、前記存在情報入力手段により前記存在情報が入力された場合に、前記あやす手段を作動させることを特徴とする。
【００３２】
本発明においては、所定の範囲内の人又は動物の存在を示す存在情報が入力された場合に、吊り飾り等の人又は動物をあやすための手段を作動するので、子供及びペットを電気機器システムの所定の範囲内に引き留めて前記手段の動作に集中させることができ、事故が防止され得る。
【発明の効果】
【００３３】
本発明によれば、電気機器システムの人又は動物の所定の範囲内への進入、存在継続、退出等を示す存在情報が入力された場合に、自動的に音及び／又は映像の内容を決定して出力するので、子供及びペット等の動物の注意を惹きつけて所定の範囲内に引き留め、音及び／又は映像の視聴に集中させることができる。従って、意図せず子供等が部屋を出て歩き回ったり、突然泣き出したりすることを防止することができ、落下事故、転倒事項等の問題の発生を回避することができるとともに、親等が子供等の傍を離れて安心して自分の作業を行うことができる。
【図面の簡単な説明】
【００３４】
【図１】本発明の実施の形態１に係る電気機器システムを示す斜視図である。
【図２】本発明の実施の形態１に係る電気機器システムの構成を示すブロック図である。
【図３】本発明の実施の形態１に係る記憶部に記憶された登録情報テーブルの対象者の登録情報の一例を示す図である。
【図４】本発明の実施の形態１に係る制御部による登録情報更新の処理手順を示すフローチャートである。
【図５】本発明の実施の形態１に係る制御部による自動対応の処理の手順を示すフローチャートである。
【図６】本発明の実施の形態１に係る制御部による自動対応の処理の手順を示すフローチャートである。
【図７】本発明の実施の形態１に係る人感センサが出力する信号値の経時的変化を示すグラフである。
【図８】登録情報テーブルに対応の効果を記録した状態を示す図である。
【図９】登録情報テーブルの映像コンテンツの順位を変えた状態を示す図である。
【図１０】本発明の実施の形態２に係る制御部による自動対応の処理の手順を示すフローチャートである。
【図１１】本発明の実施の形態２に係る制御部による自動対応の処理の手順を示すフローチャートである。
【図１２】本発明の実施の形態３に係る電気機器システムを示す斜視図である。
【図１３】本発明の実施の形態３に係る電気機器システムの構成を示すブロック図である。
【図１４】発明の実施の形態３に係る制御部による自動対応の処理の手順を示すフローチャートである。
【発明を実施するための形態】
【００３５】
以下、本発明をその実施の形態を示す図面に基づき具体的に説明する。
実施の形態１．
図１は本発明の実施の形態１に係る電気機器システム３０を示す斜視図、図２は、電気機器システム３０の構成を示すブロック図である。
電気機器システム３０は、テレビジョン受像機（以下、ＴＶ受像機という）１に、例えばＢＤレコーダ，ＤＶＤレコーダ等の外部機器２０をＨＤＭＩ（ハイ−デフィニション・マルチメディア・インタフェース）接続してなる。
ＴＶ受像機１は、マイクロフォン２、人感センサ３、カメラ４、状況解析部５、映像コンテンツ選択部６、映像・音声出力部７、記憶部８、放送信号処理部９、及び制御部１０を備える。
【００３６】
マイクロフォン２はＴＶ受像機１の周辺の音を収録して、音声を状況解析部５へ出力する。人感センサ（温度センサ）３は、例えば乳幼児等の人又はペット等（以下、人等という）から発散される遠赤外線を感知する遠赤外線センシング部を備えており、遠赤外線センシング部により遠赤外線を検知した場合に検知信号を状況解析部５へ出力する。カメラ４は、ＴＶ受像機１の所定範囲内を撮像して状況解析部５へ出力する。
状況解析部５は、マイクロフォン２，人感センサ３，カメラ４から入力された音声，検知信号，画像により、人が泣いているか，動物が鳴いているか等の状態、ＴＶ受像機１から所定範囲内に人等が存在するか，存在する場合には存在が継続しているか，所定範囲内から人等が退出したか否か等の状況を判定する。
【００３７】
映像・音声出力部７は液晶表示部及びスピーカを含む。
放送信号処理部９は、ユーザ又は制御部１０の選局指示に対応するデジタル放送の放送信号を選択し、該放送信号を多重化されたトランスポートストリーム（ＴＳ）信号へデジタル復調し、得られたＴＳ信号をビデオデータ，音声データそれぞれに分離し、各データをデコードし、ＥＰＧ（電子番組表）データ等と合成して、映像・音声出力部７で映像・音声を出力できる形式の映像出力信号，音声出力信号に変換する。
【００３８】
記憶部８には、ユーザがビデオカメラを用いて撮像した映像コンテンツ、放送信号処理部９から入力される放送番組の録画映像コンテンツ、及び外部機器２０又は内蔵する録画装置（図示せず）等に装着されたＤＶＤ，ＢＤ等からダビングした映像コンテンツ等の複数の映像コンテンツが記憶されている。また、記憶部８にはＥＰＧも記憶されている。
そして、記憶部８の登録情報テーブルには、状況解析部５により人等の体型、顔認証情報、体温、声、及び好みの映像コンテンツを含む情報が記録されている。登録情報テーブルには後述する自動対応の対象である人等（以下、対象者等という）と対象でない人等（両親等、以下、非対象者等という）とに分けて記録されている。非対象者等の場合、好みの映像コンテンツを含む情報は記録されない。
【００３９】
映像コンテンツ選択部６は、記憶部８に記憶された複数の映像コンテンツ、外部機器２０から入力される映像コンテンツ、及び現在放送されており、放送信号処理部９から出力される映像コンテンツの中から映像・音声出力部７にて出力する映像コンテンツを選択する。
制御部１０は、ＴＶ受像機１が備える各部の各種の制御を実行する。また、制御部１０は、対象者等が傍にいると判定した場合、自動対応モードに切り替え、人等の状態を状況解析部５により解析して対応を実行すると判定した場合、映像コンテンツ選択部６により表示映像コンテンツを選択して映像・音声出力部７により出力する自動対応の処理を行う。
【００４０】
図３は、記憶部８に記憶された登録情報テーブルの対象者の登録情報の一例を示す図である。
対象者の一例としてＡ男の顔認識情報、身長、体重、体温、声のデータが登録されており、前回までの対応に基づく映像コンテンツが好みの順に記録されている。Ａ男の好みの映像コンテンツの第１位は放送番組「ママといっしょ」、第２位はビデオカメラにより撮像し、記憶部８に記憶された「お誕生会のビデオ映像」、第３位は外部機器２０のＢＤレコーダのＨＤＤにダビングした市販ＤＶＤ「機関車『いなずま』号」の映像、第４位は雑誌「キッズ」の付録の「体操」の映像である。前回の対応時の効果に基づいて映像コンテンツの順は入れ替えられるように構成されている。
【００４１】
図３の例においては、番組映像、記憶部８に記憶された映像、外部機器２０のＨＤＤにダビングされた映像が混在した状態で記憶されているがこれに限定されるものではない。番組映像、記憶部８に記憶された映像、外部機器２０のＨＤＤにダビングされた映像それぞれのテーブルを用意してもよい。そして、番組映像のテーブルの場合、好きな番組の具体的な順位又はジャンルの順位を付けておき、制御部１０が、自動対応を実行するときにＥＰＧ及びテーブルに基づき視聴可能であって、効果的と推定される番組を、重み付けを行う等して選択することにしてもよい。
【００４２】
登録情報テーブルに登録された対象者等の情報は１ヶ月毎に更新される。親等は、対象者等である人等をＴＶ受像機１の前に連れて行き、登録情報を更新する。
図４は、制御部１０による登録情報更新の処理手順を示すフローチャートである。
制御部１０は、状況解析部５によりマイクロフォン２，人感センサ３，カメラ４から音声，検知信号（温度），画像の情報を取り込み、親等からの操作部による入力情報を取得する（Ｓ１１）。
制御部１０は、現在日時と前回の登録日時とを比較する（Ｓ１２）。
【００４３】
制御部１０は、前回の登録日時が現在日時より１ヶ月以上前であるか否かを判定し（Ｓ１３）、１ヶ月以上前であると判定した場合（Ｓ１３：ＹＥＳ）、登録情報を更新する（Ｓ１４）。身長、体重、体温、声のデータの登録が１ヶ月以上前でないと判定した場合（Ｓ１３：ＮＯ）、処理をステップＳ１５へ進める。
【００４４】
制御部１０は、処理終了の要求があるか否かを判定し（Ｓ１５）、処理終了の要求がないと判定した場合（Ｓ１５：ＮＯ）、ステップＳ１１以降の処理を続ける。処理終了の要求があると判定した場合（Ｓ１５：ＹＥＳ）、制御部１０は処理を終了する。
以上のように登録情報を更新することにより、登録情報を人等の成長に追従させることができる。
【００４５】
ＴＶ受像機１においては、主電源がオフであり、副電源がオンである待機状態では、マイクロフォン２、人感センサ３、カメラ４、状況解析部５、記憶部８、及び制御部１０に給電されている。制御部１０が、状況解析部５が入力された外部状況に基づき自動対応モードに切り替えた場合、ＴＶ受像機１の全ての機能部に給電される。また、制御部１０が通常視聴モードに切り替えた場合、映像・音声出力部７及び放送信号処理部９に給電される。
【００４６】
図５及び図６は、制御部１０による自動対応の処理の手順を示すフローチャートである。シチュエーションとして、日中、親に用事ができて一時的に子供の傍を離れる場合等が想定される。
制御部１０は、状況解析部５によりマイクロフォン２，人感センサ３，カメラ４から音声，検知信号，画像の情報を取り込む（Ｓ２１）。
制御部１０は、状況解析部５によりＴＶ受像機１から所定範囲内に人等がいるか否かを判定する（Ｓ２２）。制御部１０は人等がいないと判定した場合（Ｓ２２：ＮＯ）、処理をステップＳ２１へ戻す。
【００４７】
制御部１０は人等がいると判定した場合（Ｓ２２：ＹＥＳ）、人等が対象者等であるか否かを判定する（Ｓ２３）。人等が対象者等でないと判定した場合（Ｓ２３：ＮＯ）、登録情報テーブルに登録された非対象者等であるか否かを判定する（Ｓ２４）。制御部１０は非対象者等でないと判定した場合（Ｓ２４：ＮＯ）、ＴＶ受像機１の所定範囲内にいる者は部外者（侵入者）であるので、自動対応モードに設定し（Ｓ２５）、「通報中」という警告表示を映像・音声出力部７により表示させ、又はビープ音を鳴らす処理を行い（Ｓ２６）、処理を終了する。これにより部外者を撃退することができる。
【００４８】
制御部１０は非対象者等であると判定した場合（Ｓ２４：ＹＥＳ）、すなわち親等であると判定した場合、自動対応モードを設定する必要がないので、通常視聴モードに設定し、放送信号処理部９に給電して（Ｓ２７）、処理を終了する。
制御部１０は、対象者等であると判定した場合（Ｓ２３：ＹＥＳ）、自動対応モードに設定し、ＴＶ受像機１の全ての機能部に給電する（Ｓ２８）。ここで、デフォルトの設定の映像、例えば教育テレビの番組等を映像・音声出力部７に出力することにしてもよい。
【００４９】
制御部１０は、対応の実行をするか否かを判定する（Ｓ２９）。制御部１０は外部状況を取り込み、人等が所定範囲から退出したと判定した場合、乳幼児が泣き、ペットが鳴いていると判定した場合、対応を実行する。
【００５０】
図７は、人感センサ３が出力する信号値の経時的変化を示すグラフである。図中、横軸は時間、縦軸は信号値である。ここでは、人感センサ３が焦電型赤外線センサである場合につき説明する。
制御部１０は、時刻Ｔ0 の信号値と、時刻Ｔ1 の信号値の偏差を算出し、その偏差が閾値Ｌ1 以上であれば人等が所定範囲内に進入し、閾値Ｌ2 以上Ｌ1 未満であれば存在継続の状態であり、閾値Ｌ2 未満であれば人等が退出したと判定する。
【００５１】
制御部１０は対応の実行をしないと判定した場合（Ｓ２９：ＮＯ）、通常視聴モードに設定を切り替え（Ｓ３０）、例えば１５分，３０分等の所定時間が経過したか否かを判定する（Ｓ３１）。所定時間が経過したと判定した場合（Ｓ３１：ＹＥＳ）、処理をステップＳ２８へ戻す。制御部１０は、所定時間が経過していないと判定した場合（Ｓ３１：ＮＯ）、この判定を繰り返す。
ここで、通常視聴モードに設定した後、処理を終了することにしてもよい。人等の状況は変わることが多いので、本実施の形態においては、所定時間の経過後、再度、外部状況を取り込んで、対応の実行をするか否かを判定することにしている。
また、対応の実行をしないと判定した場合、通常視聴モードに設定を切り替えることなく、所定時間の経過後に、処理をステップＳ２９へ戻し、再度、外部状況を取り込んで、対応の実行をするか否かを判定することにしてもよい。
【００５２】
制御部１０は、対応を実行すると判定した場合（Ｓ２９：ＹＥＳ）、映像コンテンツ選択部６に、表示する映像コンテンツを選択させる（Ｓ３２）。映像コンテンツ選択部６は、記憶部８に記憶された複数の映像コンテンツ、外部機器２０から入力され得る映像コンテンツ、及び現在放送されており、放送信号処理部９から出力され得る映像コンテンツの中から映像・音声出力部７にて出力する映像コンテンツを選択する。ここで、Ａ男が対応の対象者に該当する場合、Ａ男の上述した登録情報に基づき、優先順位に従って映像コンテンツを選択する。
【００５３】
映像コンテンツ選択部６は、記憶部８から現在のＥＰＧを取得し、Ａ男の好みの映像コンテンツとして第１位に記録されている番組「ママといっしょ」が現在、放映されているか否かを判定する。現在、番組「ママといっしょ」が放映されていると判定した場合、この番組映像を表示映像コンテンツに決定する。制御部１０は、現在、番組「ママといっしょ」が放映されていないと判定した場合、ＥＰＧから取得される視聴可能であってＡ男の好みのジャンルに属する番組と、登録情報テーブルの第２位の「お誕生会のビデオ映像」とを、重み付けを行って評価し、表示映像コンテンツを決定する。ここでは、現在、番組「ママといっしょ」が放映中であり、番組「ママといっしょ」を表示映像コンテンツに決定したとする。
【００５４】
制御部１０は、映像コンテンツ選択部６により選択された表示映像コンテンツを映像・音声出力部７に表示させる（Ｓ３３）。
【００５５】
そして、制御部１０は状況解析部５により外部状況を取り込む（Ｓ３４）。
制御部１０は対応の効果があったか否かを判定する（Ｓ３５）。
制御部１０は、状況解析部５によりマイクロフォン２，人感センサ３，カメラ４からの入力情報に基づきＡ男がＴＶ受像機１の所定範囲から離れたと判定した場合、又はＡ男が泣き出したと判定した場合、効果がなかったと判定する。Ａ男が所定範囲から離れず、大人しく映像を視聴していると判定した場合、効果があったと判定する。制御部１０は効果があったと判定した場合（Ｓ３５：ＹＥＳ）、この映像コンテンツを表示する対応を続行する（Ｓ３７）。
【００５６】
制御部１０は効果がなかったと判定した場合（Ｓ３５：ＮＯ）、異なる対応をする（Ｓ３６）。具体的には映像コンテンツ選択部６に異なる表示映像コンテンツを選択させる。映像コンテンツ選択部６は、ＥＰＧから取得される視聴可能であってＡ男の好みのジャンルに属する番組と、登録情報テーブルの第２位の「お誕生会のビデオ映像」とを比較して次の表示映像コンテンツを決定し、これに基づき、制御部１０は映像・音声出力部７により映像・音声を出力させる。ここでは、第２位の「お誕生会のビデオ映像」を選択したとする。そして、処理をステップＳ３４へ戻す。
【００５７】
ここで、再度、外部状況を取り込み（Ｓ３４）、効果があるか否かを判定する（Ｓ３５）。効果があったと判定した場合（Ｓ３５：ＹＥＳ）、この映像コンテンツを表示する対応を続行する（Ｓ３７）。効果がなかったと判定した場合（Ｓ３５：ＮＯ）、異なる対応をする（Ｓ３６）。この場合、ＥＰＧから取得される視聴可能であってＡ男の好みのジャンルに属する番組と、登録情報テーブルの第３位の「機関車『いなずま』号」とを比較して次の表示映像コンテンツを決定する。ここでは、映像コンテンツ選択部６は第３位の「機関車『いなずま』号」を表示映像コンテンツに決定したとする。制御部１０は、ＨＤＭＩのＣＥＣ経由で外部機器２０を操作して、「機関車『いなずま』号」の映像を映像・音声出力部７に表示させる。ここで、異なる対応として、音量を大きくし、Ａ男の注意を引き付けるとともに、親にＡ男がＴＶ受像機１の側から離れていることを知らせることにしてもよい。
【００５８】
制御部１０は、効果があったと判定され（Ｓ３５：ＹＥＳ）、対応を続行した場合（Ｓ３７）、対応の評価を記憶部８に記憶する（Ｓ３８）。
図８は、対応の効果を記録した状態を示す図である。上述したように、番組「ママといっしょ」の映像では視聴せずに離れたので効果の欄に「×」が記録される。次の「お誕生会のビデオ映像」でＡ男の視聴が長くは持続しなかった場合、効果の欄に「△」が記録され、「機関車『いなずま』号」でＡ男の視聴が長く持続し、ＴＶ受像機１から離れなかった場合、効果の欄に「○」が記録される。
この結果に基づき、映像コンテンツの順位が図９に示すように入れ替えられる。
【００５９】
制御部１０は、処理終了の要求があるか否かを判定し（Ｓ３９）、処理終了の要求がないと判定した場合（Ｓ３９：ＮＯ）、ステップＳ３４以降の処理を続ける。処理終了の要求があると判定した場合（Ｓ３９：ＹＥＳ）、制御部１０は処理を終了する。
なお、映像コンテンツ選択部６による表示映像コンテンツの選択の方法は上述の方法に限定されるものではなく、まだ視聴したことがない番組映像、未再生の録画映像を選択することにしてもよい。
【００６０】
本実施の形態においては、電気機器システム３０の所定範囲内に人等の存在を示す存在情報が入力された場合に、自動的に音及び映像の内容を決定して出力する自動対応処理を実行するので、子供及びペット等をＴＶ受像機１の傍に引き留めて音及び映像の視聴に集中させることができる。従って、意図せず子供等が部屋を出て歩き回ったり、突然泣き出したりすることを防止することができ、落下事故、転倒事故等の問題の発生を回避することができ、親等が子供等の傍を離れて安心して家事等の自分の作業を行うことができる。
【００６１】
そして、本実施の形態においては、現在、出力している音及び映像の内容では効果がないと判定した場合に、異なる内容の音及び映像を出力するので、一度離れた人等を所定範囲内に引き戻して音及び映像の視聴に集中させることができる。
【００６２】
本さらに、本実施の形態においては、音及び映像の評価を記憶するので、次回、この評価に基づいて対応することで、効果的に人等の興味を惹いて所定の範囲内に引き留めることができる。
【００６３】
（他の例１）
上述の自動対応の処理は、日中、親に用事ができて一時的に子供の傍を離れる場合には限定されない。
例えば、休日の朝等、子供が先に起きた場合に、制御部１０が対象者等であると判定し（Ｓ２３：ＹＥＳ）、自動対応モードを設定し（Ｓ２８）、子供がＴＶ受像機１の傍を離れようとした場合に対応を実行すると判定して（Ｓ２９：ＹＥＳ）、Ｓ３２以降の処理を行うことで、子供をＴＶ受像機１に釘付けにし、事故等を防止することができる。そして、親は自分のペースで起床することができる。
【００６４】
（他の例２）
上述の制御部１０による処理においては、対象者がＡ男である場合につき説明しているが、対象が犬又は猫等のペットである場合、制御部１０は、対象者等であると判定した後（Ｓ２３）、自動対応モードに設定し（Ｓ２８）、対応の実行をするか否かを判定する（Ｓ２９）。
制御部１０は、ペットが鳴いたり騒いだりした場合、対応を実行すると判定する（Ｓ２９：ＹＥＳ）。制御部１０は、登録情報テーブルに記録された前記ペットの好みの映像コンテンツを優先順位に基づき選択する（Ｓ３２）。例えば該ペットの気を引く映像コンテンツ及び飼い主が呼びかける映像，音声が挙げられる。
Ｓ３３以降の処理はＡ男の場合と同様に行う。
【００６５】
なお、本実施の形態においては、非対象者等の情報も登録情報テーブルに記憶し、電気機器システムの所定範囲内に対象者等、非対象者等でない者が存在すると判定した場合には警告表示を行う場合につき説明しているが、これに限定されるものではない。
また、本実施の形態においては、ＴＶ受像機１がカメラ４を備える場合につき説明しているが、これに限定されるものではない。人感センサ３を備えることにより、人等の所定範囲内への進入、存在継続、退出を検出することができる。また、人感センサ３はＴＶ受像機１に内蔵される場合には限定されず、ＴＶ受像機１に外付けされていてもよい。
そして、人等が所定範囲から退出した場合に対応を実行することには限定されない。
さらに、ＴＶ受像機１に外部機器２０を接続して電気機器システム３０を構成する場合には限定されない。本発明の電気機器システムとして、ＴＶ受像機１のみの場合も適用することができる。
【００６６】
実施の形態２．
実施の形態２に係る電気機器システムは、実施の形態１に係る電気機器システム３０と同様の構成を有し、制御部１０による自動対応の処理が実施の形態１に係る制御部１０の自動対応の処理と異なる。
図１０及び図１１は、制御部１０による自動対応の処理の手順を示すフローチャートである。
制御部１０は、状況解析部５によりマイクロフォン２，人感センサ３，カメラ４から音声，検知信号，画像の情報を取り込む（Ｓ５１）。
制御部１０は、状況解析部５によりＴＶ受像機１から所定範囲内に人等がいるか否かを判定する（Ｓ５２）。制御部１０は人等がいないと判定した場合（Ｓ５２：ＮＯ）、処理をステップＳ５１へ戻す。
【００６７】
制御部１０は人等がいると判定した場合（Ｓ５２：ＹＥＳ）、人等が対象者等であるか否かを判定する（Ｓ５３）。人等が対象者等でないと判定した場合（Ｓ５３：ＮＯ）、登録情報テーブルに登録された非対象者等であるか否かを判定する（Ｓ５４）。制御部１０は非対象者等でないと判定した場合（Ｓ５４：ＮＯ）、ＴＶ受像機１の所定範囲内にいる者は部外者（侵入者）であるので、自動対応モードに設定し（Ｓ５５）、「通報中」という警告表示を映像・音声出力部７により表示させ、又はビープ音を鳴らす処理を行い（Ｓ５６）、処理を終了する。これにより部外者を撃退することができる。
【００６８】
制御部１０は非対象者等であると判定した場合（Ｓ５４：ＹＥＳ）、すなわち親等であると判定した場合、自動対応モードを設定する必要がないので、通常視聴モードに設定し、放送信号処理部９に給電して（Ｓ５７）、処理を終了する。
【００６９】
制御部１０は、対象者等であると判定した場合（Ｓ５３：ＹＥＳ）、自動対応モードに設定し、ＴＶ受像機１の全ての機能部に給電する（Ｓ５８）。
【００７０】
制御部１０は、映像コンテンツ選択部６に映像コンテンツを選択させる（Ｓ５９）。映像コンテンツ選択部６は、記憶部８に記憶された複数の映像コンテンツ、外部機器２０から入力され得る映像コンテンツ、及び現在放送されており、放送信号処理部９から出力され得る映像コンテンツ等の中から映像・音声出力部７にて出力する映像コンテンツを選択する。
そして、制御部１０は、映像コンテンツ選択部６により選択された映像コンテンツを映像・音声出力部７に表示させる（Ｓ６０）。
【００７１】
制御部１０は、対応の実行をするか否かを判定する（Ｓ６１）。制御部１０は外部状況を取り込み、人等が所定範囲から退出したと判定した場合、乳幼児が泣き、ペットが鳴いていると判定した場合、対応を実行する。
【００７２】
制御部１０は対応の実行をしないと判定した場合（Ｓ６１：ＮＯ）、対応を続行し（Ｓ６２）、例えば１５分，３０分等の所定時間が経過したか否かを判定する（Ｓ６３）。所定時間が経過したと判定した場合（Ｓ６３：ＹＥＳ）、処理をステップＳ６１へ戻す。制御部１０は、所定時間が経過していないと判定した場合（Ｓ６３：ＮＯ）、この判定を繰り返す。
【００７３】
制御部１０は、対応を実行すると判定した場合（Ｓ６１：ＹＥＳ）、映像・音声の出力を停止する（Ｓ６４）。これによりＴＶ受像機１の表示画面が消えることになる。
そして、制御部１０は、状況解析部５により外部状況を取り込み（Ｓ６５）、効果があったか否かを判定する（Ｓ６６）。制御部１０は、所定範囲から退出した人等が再度、所定範囲内に進入したと判定した場合、乳幼児が泣き止み、ペットが鳴き止み、大人しくなったと判定した場合、効果があったと判定する。
【００７４】
制御部１０は効果がなかったと判定した場合（Ｓ６６：ＮＯ）、異なる対応をする（Ｓ６７）。異なる対応の例として、具体的に、「テレビの前に戻ったら、またテレビが始まるよ。」、又は「泣くのを止めたら、また、テレビが始まるよ。」等の音声を出力することが挙げられる。そして、処理をステップＳ６５へ戻す。
ここで、再度、外部状況を取り込み（Ｓ６５）、効果があるか否かを判定する（Ｓ６６）。効果があったと判定した場合（Ｓ６６：ＹＥＳ）、ステップＳ６８以降の処理を行う。効果がなかったと判定した場合（Ｓ６６：ＮＯ）、異なる対応をする（Ｓ６７）。例えば、クマ等のキャラクタがおいでおいでをする画面を一時的に表示したり、キャラクタが泣き止んだらテレビが付くアニメーションを一時的に表示したりする。
【００７５】
制御部１０は効果があったと判定した場合（Ｓ６６：ＹＥＳ）、元の映像コンテンツを映像・音声出力部７に表示させる。又は新たに表示映像コンテンツを選択して映像・音声出力部７に表示させる（Ｓ６８）。そして、表示映像コンテンツの評価を記憶部８に記憶する（Ｓ６９）。
【００７６】
制御部１０は、処理終了の要求があるか否かを判定し（Ｓ７０）、処理終了の要求がないと判定した場合（Ｓ７０：ＮＯ）、この判定を繰り返す。処理終了の要求があると判定した場合（Ｓ７０：ＹＥＳ）、制御部１０は処理を終了する。
【００７７】
本実施の形態においては、人等が所定の範囲内から離れた場合、又は人が泣いたり動物が鳴いたりした場合に、音及び映像の出力を中止するので、離れたり泣いたりすると損をするというルールを覚え込ませ、動き回る癖及び泣き癖を直すことができる。
【００７８】
実施の形態３．
図１２は本発明の実施の形態３に係る電気機器システム４０を示す斜視図、図１３は、電気機器システム４０の構成を示すブロック図である。
電気機器システム４０は、電源装置４１と、吊り飾り部５０とを備えている。
電源装置４１は、マイクロフォン４２、人感センサ４３、カメラ４４、制御部４５、状況解析部４６、作動指示部４７、及び記憶部４８を備える。
【００７９】
マイクロフォン４２は電源装置４１の周辺の音を収録して、音声を状況解析部４６へ出力する。人感センサ４３は、人等から発散される遠赤外線を感知する遠赤外線センシング部を備えており、遠赤外線センシング部により遠赤外線を検知した場合に検知信号を状況解析部４６出力する。カメラ４４は、電源装置４１の所定範囲内を撮像して状況解析部４６へ出力する。
状況解析部４６は、マイクロフォン４２，人感センサ４３，カメラ４４から入力された音声，検知信号，画像により、人等の状態、及び電源装置４１から所定範囲内に人等がいるか否かを判定する。
【００８０】
作動指示部４７は、制御部４５により吊り飾り部５０を作動させると判定した場合に、吊り飾り部５０を作動させる。
【００８１】
記憶部４８の登録情報テーブルには、状況解析部４５により人等の体型、顔認証情報、体温、及び声を含む情報が記録されている。登録情報テーブルには自動対応の処理の対象者等と非対象者等とに分けて記録されている。
制御部４５は、電源装置４１が備える各部の各種の制御を実行する。
【００８２】
吊り飾り部５０は、部屋の天井から紐５１により吊り下げられており、電源装置４１の作動指示部４７からの作動指示に応じ、音楽が発せられた状態で、モータ５２により複数の飾り５３が回転させられるように構成されている。
【００８３】
電源装置４１においては、主電源がオフであり、副電源がオンである待機状態では、マイクロフォン４２、人感センサ４３、カメラ４４、制御部４５、状況解析部４６、及び記憶部４８に給電されている。
【００８４】
図１４は、制御部４５による自動対応の処理の手順を示すフローチャートである。
制御部４５は、状況解析部４６によりマイクロフォン４２，人感センサ４３，カメラ４４から音声，検知信号，画像の情報を取り込む（Ｓ８１）。
制御部４５は、状況解析部４６により電源装置４１から所定範囲内に人等がいるか否かを判定する（Ｓ８２）。制御部４５は人等がいないと判定した場合（Ｓ８２：ＮＯ）、処理をステップＳ８１へ戻す。
【００８５】
制御部４５は人等がいると判定した場合（Ｓ８２：ＹＥＳ）、人等が対象者等であるか否かを判定する（Ｓ８３）。人等が対象者等でないと判定した場合（Ｓ８３：ＮＯ）、処理をステップＳ８１へ戻す。
【００８６】
制御部４５は対象者等であると判定した場合（Ｓ８２：ＹＥＳ）、自動対応モードに設定し、作動指示部４７に給電する（Ｓ８４）。
【００８７】
制御部４５は、対応の実行をするか否かを判定する（Ｓ８６）。制御部４５は外部状況を取り込み、人等が電源装置４１の所定範囲から退出したと判定した場合、乳幼児が泣き、ペットが鳴いていると判定した場合、対応を実行する。
【００８８】
制御部１０は対応の実行をしないと判定した場合（Ｓ８６：ＮＯ）、例えば３０分等の所定時間が経過したか否かを判定する（Ｓ８７）。所定時間が経過したと判定した場合（Ｓ８７：ＹＥＳ）、処理をステップＳ８６へ戻す。制御部４５は、所定時間が経過していないと判定した場合（Ｓ８７：ＮＯ）、この判定を繰り返す。
【００８９】
制御部４５は、対応を実行すると判定した場合（Ｓ８６：ＹＥＳ）、作動指示部４７により、音楽が発せられた状態で、モータ５２により複数の飾り５３を回転させる（Ｓ８８）。
【００９０】
そして、制御部４５は、状況解析部４６より外部状況を取り込み（Ｓ８９）、効果があったか否かを判定する（Ｓ９０）。制御部４５は、所定範囲から退出した人等が再度、所定範囲内に進入したと判定した場合、乳幼児が泣き止み、ペットが鳴き止み、大人しくなったと判定した場合、効果があったと判定する。
【００９１】
制御部４５は効果がなかったと判定した場合（Ｓ９０：ＮＯ）、異なる対応をする（Ｓ９１）。異なる対応の例として、飾り５３の回転速度を速くしたり、飾り５３の鉛直方向に対する角度を大きくしたり、音楽の音量を大きくしたり、音楽を変えたりすることが挙げられる。そして、処理をステップＳ８９へ戻す。
ここで、再度、外部状況を取り込み（Ｓ８９）、効果があるか否かを判定する（Ｓ９０）。効果があったと判定した場合（Ｓ９０：ＹＥＳ）、ステップＳ９２以降の処理を行う。効果がなかったと判定した場合（Ｓ９０：ＮＯ）、異なる対応をし（Ｓ９１）、処理をステップＳ８９へ戻す。
【００９２】
制御部４５は効果があったと判定した場合（Ｓ９０：ＹＥＳ）、対応を続行する（Ｓ９２）。
【００９３】
制御部４５は、処理終了の要求があるか否かを判定し（Ｓ９３）、処理終了の要求がないと判定した場合（Ｓ９３：ＮＯ）、処理をステップＳ８９へ戻す。処理終了の要求があると判定した場合（Ｓ９３：ＹＥＳ）、制御部４５は処理を終了する。
【００９４】
本実施の形態においては、電源装置４１の所定範囲内の人又は動物の存在を示す存在情報が入力された場合に、人又は動物をあやすための吊り飾り部５０を作動するので、子供及びペットを電源装置４１の所定範囲内に引き留めて吊り飾り部５０に注意を惹き付けることができ、事故が防止され得る。
なお、本実施の形態においては、人又は動物をあやすための手段として吊り飾り部５０を適用した場合につき説明しているが、これに限定されるものではない。
【符号の説明】
【００９５】
１  ＴＶ受像機
２、４２  マイクロフォン
３、４３  人感センサ
４、４４  カメラ
５、４６  状況解析部
６  映像コンテンツ選択部
７  映像・音声出力部
８、４８  記憶部
９  放送信号処理部
１０、４５  制御部
２０  外部機器
３０、４０  電気機器システム
４１  電源装置
４７  作動指示部
５０  吊り飾り部
【図１】
2011223169.tif 000003
【図２】
2011223169.tif 000004
【図３】
2011223169.tif 000005
【図４】
2011223169.tif 000006
【図５】
2011223169.tif 000007
【図６】
2011223169.tif 000008
【図７】
2011223169.tif 000009
【図８】
2011223169.tif 000010
【図９】
2011223169.tif 000011
【図１０】
2011223169.tif 000012
【図１１】
2011223169.tif 000013
【図１２】
2011223169.tif 000014
【図１３】
2011223169.tif 000015
【図１４】
2011223169.tif 000016